(57)【要約】【課題】家具や電子機器などの高さや角度調整が行え、高さ調整時における不用意な挙動を抑制可能なアジャスタ装置において、上下方向への操作機構により高さや角度調整を容易にする。【解決手段】アジャスタ装置１０は、ピストン収容室を有する外装ケース１８，該ピストン収容室に摺動自在に挿入された上端部からなるピストン部と下端部からなるフット部とを有しかつ外周面の長さ方向に凹凸部１４ａを有する脚部材１４，脚部材１４を下方に付勢する弾性部材１５，凹凸部１４ａに係合するメネジ部１２ｆを有しかつ脚部材１４に当接・離脱可能なストッパ部材１２，ストッパ部材１２を脚部材１４に当接する方向に付勢する弾性部材１３，上下動する操作レバー１１を有する。アジャスタ装置１０は、操作レバー１１の下端をストッパ部材１２に押し当てることで、ストッパ部材１２を脚部材１４から離脱させ、脚部材１４を外装ケース１８に対し移動自在にする。【選択図】　　　　図２
2004052943.tif 000002
【特許請求の範囲】
【請求項１】
下端が開放されたピストン収容室を有する外装ケースと、該ピストン収容室に摺動自在に挿入された上端部からなるピストン部と該ピストン部に連結した下端部からなるフット部とを有し、かつ、前記ピストン部と前記フット部との間において外周面の長さ方向に凹凸部が形成された脚部材と、該脚部材を下方へ常時付勢する脚部材用弾性部材と、前記脚部材の凹凸部に係合する凹凸部を有し、かつ、前記脚部材に当接・離脱可能なストッパ部材と、該ストッパ部材を前記脚部材に当接する方向に常時付勢するストッパ部材用弾性部材を有し、前記脚部材を前記外装ケースに対して上下動し、前記脚部材の前記外装ケースに対する相対位置を調整し、前記ストッパ部材にて前記調整した位置に前記脚部材をロックするようにしたアジャスタ装置において、下方に移動することにより下端を前記ストッパ部材に押し当てる操作部材を有し、該操作部材の下端を前記ストッパ部材に押し当てることにより、前記ストッパ部材を前記脚部材から離脱させ、前記脚部材を前記外装ケースに対して移動自在にしたことを特徴とするアジャスタ装置。
【請求項２】
前記ストッパ部材は、前記脚部材を狭持する２つの狭持部材からなり、該２つの狭持部材は、前記脚部材の凹凸部に当接する当接部をそれぞれ設け、該当接部のうち少なくとも一方は、前記脚部材に係合可能な凹凸部を有することを特徴とする請求項１に記載のアジャスタ装置。
【請求項３】
前記ストッパ部材用弾性部材は、前記当接部に凹凸部を有する狭持部材を、前記脚部材に係合する方向に常時付勢することを特徴とする請求項２に記載のアジャスタ装置。
【請求項４】
前記２つの狭持部材の少なくとも一部が接続されていることを特徴とする請求項２または３に記載のアジャスタ装置。
【請求項５】
前記操作部材の下端はクサビ形状をなし、前記ストッパ部材は、前記操作部材のクサビ形状をなした下端が当接する位置に、該クサビ形状の傾斜に略相似する傾斜を持った凹部を有することを特徴とする請求項１乃至４のいずれか１に記載のアジャスタ装置。
【請求項６】
前記操作部材は、該操作部材を前記ストッパ部材に当接しない方向に常時付勢する操作部材用弾性部材を有することを特徴とする請求項１乃至５のいずれか１に記載のアジャスタ装置。
【請求項７】
前記操作部材は、前記外装ケースに該外装ケースの長さ方向に沿ってスライド可能に設けられていることを特徴とする請求項６に記載のアジャスタ装置。
【請求項８】
前記外装ケースの上端に、前記ピストン収容室の上端部と前記ピストン部との間で形成される空間を大気開放するための呼吸孔を有することを特徴とする請求項１乃至７のいずれか１に記載のアジャスタ装置。
【発明の詳細な説明】
【０００１】
【発明の属する技術分野】
本発明は、アジャスタ装置、より詳細には、電子機器や家具などの高さや角度を調整するのに好適なアジャスタ装置に関する技術である。
【０００２】
【従来の技術】
電子機器や家具などにおいては高さや角度を調整するために、高さ調整機能を有する脚を設けたものが広く実用化されている。例えば、テレビ映像やビデオ映像などを投影するプロジェクタにおいては、前側に設ける１対の脚として、高さ調整機能を有するものを使用し、投影角度を調整できるように構成されている。前記高さ調整機能を有する脚としては、プロジェクタの機枠に螺軸を螺合させ、螺軸の下端に固定した座板を回転操作して、機枠に対する螺軸の螺進量を調整することで、プロジェクタの傾斜角度を調整できるように構成したものが使用されている。
【０００３】
また、高さ調整機能を有する簡易な構成として、例えば、実公昭３２−４１８１号公報には、下端にゴム脚を固定した昇降杆と、この昇降杆を上方へ常時付勢する杆スプリングと、昇降杆が挿通する貫通孔を有する操作レバーであって、貫通孔の口縁が昇降杆の外面に係合して、昇降杆の昇降を規制する規制位置と、貫通孔の口縁と昇降杆の外面との係合が解除されて、昇降杆の昇降が許容される解除位置とに傾動操作可能な操作レバーと、操作レバーを規制位置側へ常時付勢するレバースプリングとを備えたドア停止金具が記載されている。このドア停止金具においては、昇降杆を杆スプリングのバネ力に抗して下方へ踏み込み操作し、昇降杆を下降させてゴム脚を床面に圧接させて、ドアを停止させ、操作レバーを解除位置側へ操作することで、杆スプリングのバネ力により、昇降杆を上昇させて、ドアの停止を解除できるように構成されている。
【０００４】
しかしながら、このように螺軸の螺進量に応じて高さが調整されるので、調整量が多い場合には、螺軸を何回も回転操作する必要があり、調整作業が煩雑になるという問題がある。また、前記ドア停止金具のような構成をフットに適用して、操作レバーの操作により、所望の高さ位置まで一気に昇降杆を昇降させて、プロジェクタの傾斜角度を調整できるように構成することも可能である。しかし、この場合においても、操作レバーを解除位置へ操作したときに、プロジェクタの前部が杆スプリングのバネ力で支持されるので、バネ力が強すぎると操作レバーを解除操作したときにプロジェクタの前部が跳ね上がり、バネ力が弱すぎるとプロジェクタの前部が落ち込むという問題がある。しかも、杆スプリングは、そのバネ力がプロジェクタ前部の自重とバランスするまで伸長或いは収縮しようとするので、適度な杆スプリングを用いた場合でも、跳ね上がりや落ち込みの問題を完全に解消することはできない。また、杆スプリングにより昇降杆が高速で移動するので、微妙な高さ調整が困難になることも考えられる。更に、プロジェクタとその設置面間の隙間は比較的小さいので、操作レバーの操作性が低下するという問題もある。
【０００５】
そこで、上記課題解決を目的として、例えば、特開平１１−２４８０８９号公報や、特開平１１−３１１３９７号公報に記載の発明が提案されている。両者においては、脚部材形状と操作方法に若干の相違があるのみであり、代表例として、特開平１１−３１１３９７号公報に記載の発明に関して以下に説明する。
【０００６】
上記特開平１１−３１１３９７号公報には、下端を開放した有底の収容孔を有する外装ケースと、前記収容孔に気密摺動自在なピストン部を有する脚部材と、前記外装ケースとピストン部とで形成されるエア作動室を大気開放するためのオリフィスと、前記脚部材を下方へ常時付勢する脚用弾性部材と、前記脚部材の進退移動を規制可能なロック手段であって、脚部材の外周面にその長さ方向に一定間隔おきに形成した複数の規制凹凸部と、外装ケースにスライド操作可能に設けられ、規制凹凸部に係合可能な係止凹凸部を有する操作部材と、操作部材をその係止凹凸部が規制凹凸部に凹凸係合する方向へ常時付勢するロック用弾性部材とを有するロック手段とを備えた高さ調整機能付きフットが提案されている。
【０００７】
この高さ調整機能付き脚においては、ロック用弾性部材の付勢力に抗して操作部材を押し操作することで、係止凹凸部と規制凹凸部との係合が解除され、脚部材が移動し得る状態になるが、このとき脚部材が脚用弾性部材の付勢力により下降すると、エア作動室内に対してオリフィスを介して徐々に外気が流入し、脚部材が脚用弾性部材の付勢力に抗して上昇すると、エア作動室内のエアがオリフィスを介して徐々に外部に排出されるので、脚部材はオリフィスの通気抵抗に応じて低速度で昇降することになる。このように、エア作動室とオリフィスとが脚部材の昇降移動のダンパとして機能するので、このフットを組付けた家具や家電機器においては、高さ調整時における、急激な跳ね上がりや落ち込みなどの不用意な挙動が防止され、スムーズに角度や高さを調整できるとともに、微妙な角度や高さ調整が可能となる。しかも、操作部材を水平方向に押し操作することで、係止凹凸部と規制凹凸部との係合を解除できるので、プロジェクタなどのように、操作部材の配設スペースが上下方向にスペースが狭い場合でも、操作部材の操作性を十分に確保することが可能となる。
【０００８】
【発明が解決しようとする課題】
上述の高さ調整機能付き脚は、螺軸を用いた場合のように何回も回転操作したりすることなく、脚部材の突出量を調整できるので、この脚を組付けた電子機器や家具の昇降操作性を向上することができ、また、脚部材を外装ケースの収容孔に気密摺動自在に装着し、脚部材と外装ケースとで形成されるエア作動室をオリフィスを介して大気開放することで、フットに対してダンパ機能を付与しているので、高さ調整時における脚部材の移動速度が緩やかになり、フットを組付けた機器の急速な跳ね上がりや落ち込みを防止して、機器の不用意な挙動を防止できるとともに、微妙な角度調整も可能とする。
【０００９】
しかしながら、上記高さ調整機能付き脚は、高さ調整用の操作部材の構成が水平プッシュやシーソー方式であり、例えば、薄型電子機器などに好適な上下方向へのスライド機構などは考慮されておらず、さらなる使い勝手の向上が望まれていた。
【００１０】
本発明は、上述のごとき実情に鑑みてなされたものであり、家具や電子機器などの高さや角度調整が容易に行え、しかも高さ調整時における不用意な挙動を効果的に抑制し、微妙な高さや角度調整が可能なアジャスタ装置において、上下方向へのスライド機構によって家具や電子機器などの高さや角度調整を容易に可能とすること、を目的としてなされたものである。
【００１１】
【課題を解決するための手段】
本発明は、前述の特開平１１−２４８０８９号公報や特開平１１−３１１３９７号公報等に関連し、薄型電子機器などにも更に好適に用いることができる発明であって、上記目的を達成するための技術手段は、下端が開放されたピストン収容室を有する外装ケースと、該ピストン収容室に摺動自在に挿入された上端部からなるピストン部と該ピストン部に連結した下端部からなるフット部とを有し、かつ、前記ピストン部と前記フット部との間において外周面の長さ方向に凹凸部が形成された脚部材と、該脚部材を下方へ常時付勢する脚部材用弾性部材と、前記脚部材の凹凸部に係合する凹凸部を有し、かつ、前記脚部材に当接・離脱可能なストッパ部材と、該ストッパ部材を前記脚部材に当接する方向に常時付勢するストッパ部材用弾性部材を有し、前記脚部材を前記外装ケースに対して上下動し、前記脚部材の前記外装ケースに対する相対位置を調整し、前記ストッパ部材にて前記調整した位置に前記脚部材をロックするようにしたアジャスタ装置において、下方に移動することにより下端を前記ストッパ部材に押し当てる操作部材を有し、該操作部材の下端を前記ストッパ部材に押し当てることにより、前記ストッパ部材を前記脚部材から離脱させ、前記脚部材を前記外装ケースに対して移動自在にしたことを特徴としたものである。
【００１２】
これによると、家具や電子機器などの高さや角度調整が容易に行え、しかも高さ調整時における不用意な挙動を効果的に抑制し、微妙な高さや角度調整が可能なアジャスタ装置において、上下方向へのスライド機構によって高さや角度調整が可能となるために、ユーザは、プロジェクタ装置等の薄型電子機器の高さや角度調整を容易に行うことができる。
【００１３】
【発明の実施の形態】
本発明のアジャスタ装置は、例えば、家具や電子機器などの高さや角度の調整に好適に利用されるものであるが、特に、プロジェクタ装置などの薄型電子機器における高さや角度調整などの操作性の改善に好適である。本実施形態は、薄型電子機器の代表例としてプロジェクタ装置に本発明のアジャスタ装置を適用した場合に関し、以下に示す図１乃至図４に基づいて説明する。
【００１４】
図１は、本発明のアジャスタ装置を取り付けた状態のプロジェクタ装置の概観を示す図で、図中、１はプロジェクタ装置で、該プロジェクタ装置１は、投射レンズ２，アジャスタボタン３，固定フット４，アジャスタ装置１０を有している。本発明のアジャスタ装置１０は、脚部材１４，フット２４を有している。図１（Ａ）はアジャスタ装置１０による投影角度調整前のプロジェクタ装置１の側面図、図１（Ｂ）はアジャスタ装置１０による投影角度調整中のプロジェクタ装置１の側面図、図１（Ｃ）はアジャスタ装置１０による投影角度調整後のプロジェクタ装置１の側面図である。
【００１５】
図１（Ｂ），（Ｃ）において、プロジェクタ装置１の前面には映像などの変調光をスクリーンに投射する投射レンズ２が設けられ、ユーザはアジャスタボタン３を押下げながら脚部材１４を伸縮させ投射角度を設定する。この脚部材１４にはフット２４が、プロジェクタ装置１後部下端には固定のフットである固定フット４が設けられ、投射角度設定後のズレなどを防止し、プロジェクタ装置１は安定に固定されることになる。
【００１６】
図２は、本発明のアジャスタ装置１０を分解した一例を示す分解図で、アジャスタ装置１０は、操作レバー１１、狭持部材（以下、本例ではネジコマという）１２、狭持用バネ１３、脚部材１４、脚部材用バネ１５、バネ受け１６、シーリング１７、上ケース１８、下ケース１９、ガイド２０、上スリーブ２１，下スリーブ２２、フットベース２３、フット２４を有している。本実施形態における操作レバー１１は、クサビ状先端部１１ａ，レバー天面１１ｂ，楕円孔部１１ｃを有している。また、ネジコマ１２は、ネジコマ１２ａとネジコマ１２ｂの２つの部材から構成され、それぞれ突起部１２ｃ，傾斜凹部１２ｄ，ガイドピン１２ｅ，メネジ部１２ｆを有している。また、脚部材１４は、凹凸部１４ａを有し、上ケース１８は、ボス１８ａ，レバーガイド１８ｂ，ビス孔１８ｃ，ガイド孔１８ｄ，ビス１８ｅ，呼吸孔１８ｆ，ビス１８ｇを有している。本実施形態においては、ストッパ部材に狭持部材１２を適用した場合を代表例として説明するが、本発明におけるストッパ部材は、本実施形態に限らず、脚部材１４を適度に保持できる構造で、かつ、脚部材１４に係合・離脱可能なものであればどのような形態でもよい。
【００１７】
また、ガイド２０は、突起部２０ａ，レバー用バネ２０ｂを有している。上スリーブ２１は、スリーブ２１ａとスリーブ２１ｂの２つの部材から構成され、スリーブ２１ａは、ガイド孔２１ｃ，切り欠き部２１ｄを有し、下スリーブ２２は、スリーブ２２ａとスリーブ２２ｂの２つの部材から構成され、スリーブ２２ａは、切り欠き部２２ｃを有している。
【００１８】
以下、上ケース１８の組立てについて詳細に説明する。
まず、操作レバー１１のクサビ状先端部１１ａを上ケース１８のレバーガイド１８ｂに合わせながら、楕円孔部１１ｃを２本のボス１８ａに通す。ガイド２０の突起部２０ａにバネ２０ｂの一方を掛け、他方をレバー天面１１ｂの裏側に当てながらガイド２０を２本のボス１８ａに嵌合させ、ビス１８ｇにてビス固定することで上ケース１８部分が完成し、この状態で操作レバー１１は、２本のボス１８ａの最外距離と操作レバー１１の楕円孔部１１ｃ長径との差の範囲で上下摺動が可能となり、上下摺動に伴いクサビ状先端部１１ａがガイド孔１８ｄを出入りすることになる。
【００１９】
次に、下ケース１９の組立てと、上下ケース部の組立てについて詳細に説明する。
まず、下ケース１９の底面に下スリーブ２２ａ，２２ｂを入れる。次に、ネジコマ１２ａ，１２ｂを図２に示す方向で対向させ、左右方向突起部１２ｃにそれぞれの狭持用バネ１３の一方を掛け、狭持用バネ１３の他方を下ケース１９の内壁に当接させながらネジコマ１２を下ケース１９に装着する。また、上スリーブ２１ａ，２１ｂを下ケース１９内のネジコマ１２の上に載せ、下ケース１９部分が完成する。上ケース１８部分と下ケース１９部分はビス孔１８ｃを通し４本のビス１８ｅでネジ固定され、操作レバー部組み品として組立てられる。
【００２０】
次に、脚部材１４の構成とアジャスタ装置１０の組み立てに関し、以下に説明する。
脚部材１４は円筒状で、この中には脚部材用バネ１５とバネ受け１６とが挿入されており、脚部材１４の下部には楕円形状のフットベース２３が圧入固定されている。このフットベース２３には、フット２４が嵌合されている。このフット２４の材質には、例えば、摩擦係数の高いゴムなどを好適に用いることができる。更に、脚部材１４の上部には溝があり、この溝にはシーリング１７が嵌合される。このシーリング１７には、例えば、ゴム製のシール材などを好適に用いることができる。
【００２１】
脚部材１４は、上ケース１８と下ケース１９とで構成された操作レバー部組み品内に内挿され、伸縮自在の脚としてダンパ機能を有するアジャスタ装置１０が完成する。操作レバー部組み品内壁と、脚部材１４上部のシーリング１７とが密着することで、アジャスタ装置１０の脚部材１４は摺動自在なピストン部を構成することになる。
【００２２】
上述のように構成されたアジャスタ装置１０の動作について以下に説明する。図３は、本発明のアジャスタ装置１０を組み立てた状態の一例を示す概観図である。まず、操作レバー１１の押下げの無い状態では、ネジコマ１２において、狭持用バネ１３による付勢力にてメネジ部１２ｆが脚部材１４の凹凸部１４ａと螺合し、フット２４は所定の位置で固定されている。この際、ネジコマ１２が有するメネジ部１２ｆの凹凸形状は、ネジコマ１２ａ，１２ｂのいずれか一方、もしくは、ネジコマ１２ａ，１２ｂの両方に形成されているものとする。また、脚部材１４の凹凸形状（凹凸部１４ａ）は、脚部材１４の上端と下端との間において外周面の長さ方向に形成され、メネジ１２ｆの凹凸形状に螺合するように配置される。この際、形成する凹凸部１４ａは、脚部材１４の上端と下端との間において外周面の長さ方向の全面又は一部でもよい。
【００２３】
図２及び図３において、操作レバー１１のレバー天面１１ｂを下方に押下げることでクサビ状先端部１１ａがガイド孔１８ｄ、２１ｃを通り、ネジコマ１２の傾斜凹部１２ｄに当たる。更に、操作レバー１１のレバー天面１１ｂを下方に押下げることでクサビ状先端部１１ａは狭持用バネ１３の付勢力に打ち勝って傾斜凹部１２ｄに深く入り込み、ネジコマ１２ａとネジコマ１２ｂとをクサビ状先端部１１ａの侵入方向と直交する左右の方向に押し広げる。ネジコマ１２ａとネジコマ１２ｂのおのおのの先端部には上下にガイドピン１２ｅが設けられており、ネジコマ１２ａとネジコマ１２ｂの移動は、上スリーブ２１と下スリーブ２２の切り欠き部２１ｄ、切り欠き部２２ｃにガイドされることになる。ネジコマ１２ａとネジコマ１２ｂとが左右に押し広げられることでメネジ部１２ｆと脚部材１４（凹凸部１４ａ）との螺合が解除され、脚部材１４は脚部材用バネ１５の付勢力と呼吸孔１８ｆの通気抵抗にてダンパ機能を有し、徐々に下方に押し下げられる。
【００２４】
尚、操作レバー１１の押下げでメネジ部１２ｆと脚部材１４（凹凸部１４ａ）との螺合が解除されている状態では、フット２４を脚部材用バネ１５の付勢力と呼吸孔１８ｆの通気抵抗に抗して押し込むことも可能であり、図１に示したようなプロジェクタ装置１などの下部にアジャスタ装置１０を配置し、アジャスタボタン３を押し下げることで、これに連動した操作レバー１１が押し下げられて、プロジェクタ装置１の高さ調整や角度調整が可能となる。
【００２５】
本発明によると、上下方向へのスライド機構をアジャスタ装置に構成することで、家具や電子機器などの高さや角度調整が容易に行え、しかも高さ調整時における不用意な挙動を効果的に抑制し、微妙な高さや角度調整が可能となり、特に薄型電子機器などの高さ調整や角度調整時の操作性を向上することが可能となる。また、シンプルな構造の部材を用いてアジャスタ装置を構成することで、簡単な構成で確実な高さ調整や角度調整が可能となる。
【００２６】
図４は、本発明に係る一体型のネジコマの一例を示す斜視図で、図中、２５は一体型ネジコマで、該一体型ネジコマ２５は、傾斜凹部２５ａ，ガイドピン２５ｂ，メネジ部２５ｃ，ヒンジ部２５ｄを有している。一体型ネジコマ２５は、前述のネジコマ１２ａとネジコマ１２ｂとをヒンジ部２５ｄで接続したもので、ガイドピン２５ｂはガイドピン１２ｅに、傾斜凹部２５ａは傾斜凹部１２ｄに、メネジ部２５ｃはメネジ部１２ｆに相当し、図示しないが、左右方向突起部１２ｃに相当する部位も設けられており、前述のネジコマ１２ａとネジコマ１２ｂの代替にそのまま使用可能である。
【００２７】
本発明によると、狭持部材を一体構造とすることで、部品点数の削減と組立て工数の削減も可能となる。
【００２８】
以上、説明したように、アジャスタ装置１０を搭載するプロジェクタ装置１の角度調整に関し、前述した図１に基づいて説明する。
プロジェクタ装置１に設けられたアジャスタボタン３は、操作レバー１１のレバー天面１１ｂを押圧するボタンで、プロジェクタ装置１の両側面前方にそれぞれ１つずつ、又は前方略中央に１つ設けられている。ユーザは、図１（Ａ）に示すように、プロジェクタ装置１を所定位置に設置する。次に、プロジェクタ装置１の投影角度調整を行う場合は、図１（Ｂ）に示すように、ユーザは、例えば両手又は片手の親指以外の指をプロジェクタ装置１の底面部に掛け、親指をアジャスタボタン３上に置く。次に、ユーザは、両手親指で左右のアジャスタボタン３を押下げる、あるいは、片手親指でアジャスタボタン３を押下げることで、上記説明のように脚部材１４の上下移動がフリーになり、ユーザはスクリーンの投射映像（図示せず）を見ながら、両手又は片手でプロジェクタ装置１の前面部を上下させ、又左右のバランスも取りながら適当な投影角度で親指をアジャスタボタン３から離すことで投影角度が設定されることになる。
【００２９】
本発明のアジャスタ装置１０は上記のように構成されているため、アジャスタボタン３を押下げながらプロジェクタ装置１の前面部を上下させている間（角度設定時など）は、フット２４は常に設置されている床面や机面に接触しており、ユーザはフット２４部分の状態を気にすることなく、スクリーンを見ながらアジャスタボタン３の操作のみで投影角度の設定を行うことが可能となる。
【００３０】
【発明の効果】
本発明によると、上下方向へのスライド機構をアジャスタ装置に構成することで、家具や電子機器などの高さや角度調整が容易に行え、しかも高さ調整時における不用意な挙動を効果的に抑制し、微妙な高さや角度調整が可能となり、特に薄型電子機器などの高さ調整や角度調整時の操作性を向上することが可能となる。
【図面の簡単な説明】
【図１】本発明のアジャスタ装置を取り付けた状態のプロジェクタ装置の概観を示す図である。
【図２】本発明のアジャスタ装置を分解した一例を示す分解図である。
【図３】本発明のアジャスタ装置を組み立てた状態の一例を示す概観図である。
【図４】本発明に係る一体型のネジコマの一例を示す斜視図である。
【符号の説明】
１…プロジェクタ装置、２…投射レンズ、３…アジャスタボタン、４…固定フット、１０…アジャスタ装置、１１…操作レバー、１１ａ…クサビ状先端部、１１ｂ…レバー天面、１１ｃ…楕円孔部、１２，２５…狭持部材（ネジコマ）、１２ａ，１２ｂ…ネジコマ、１２ｃ…突起部、１２ｄ，２５ａ…傾斜凹部、１２ｅ，２５ｂ…ガイドピン、１２ｆ，２５ｃ…メネジ部、１３…狭持用バネ、１４…脚部材、１４ａ…凹凸部、１５…脚部材用バネ、１６…バネ受け、１７…シーリング、１８…上ケース、１８ａ…ボス、１８ｂ…レバーガイド、１８ｃ…ビス孔、１８ｄ…ガイド孔、１８ｅ…ビス、１８ｆ…呼吸孔、１８ｇ…ビス、１９…下ケース、２０…ガイド、２０ａ…突起部、２０ｂ…レバー用バネ、２１…上スリーブ、２１ａ，２１ｂ…スリーブ、２１ｃ…ガイド孔、２１ｄ…切り欠き部、２２…下スリーブ、２２ａ，２２ｂ…スリーブ、２２ｃ…切り欠き部、２３…フットベース、２４…フット、２５…一体型ネジコマ、２５ｄ…ヒンジ部。
【図１】
2004052943.tif 000003
【図２】
2004052943.tif 000004
【図３】
2004052943.tif 000005
【図４】
2004052943.tif 000006